(57)【要約】【課題】キーボードのバックライト組合せ構造を提供する。【解決手段】主に回路板の表側に複数の弾片を設置し、しかも該各弾片の間には光源体を設置し、複数のプッシュボタンは該回路板の弾片を備える側に設置し、しかも該各弾片位置にそれぞれ対応する。片材は該回路板と該各プッシュボタンの間に設置し、該片材上には複数の容置槽を設置し、該回路板上の光源体にそれぞれ対応し収容設置することができる。導光板は該片材と該各プッシュボタンの間に設置し、その表面には加工区を設置し、該各プッシュボタンの光貫通が必要な区域に対応し、しかも該各加工区の間には複数の容置槽を設置し、該回路板上の光源体にそれぞれ対応し収容設置することができる。こうして基本のバックライト輝度及び均一性の条件を満たしながら、その全体的組合せ厚みを効果的に縮小することができる。【選択図】図１
0003133969.tif 000002
【実用新案登録請求の範囲】
【請求項１】
主に少なくとも回路板、プッシュボタン、片材、導光板を含み、
該回路板は表側に複数の弾片を設置し、しかも該各弾片の間には光源体を設置し、
該複数のプッシュボタンは該回路板の弾片を備える側に設置し、しかも該各弾片位置にそれぞれ対応し、
該片材は該回路板と該各プッシュボタンの間に設置し、該片材上には複数の容置槽を設置し、該回路板上の光源体にそれぞれ対応し収容設置することができ、
該導光板は該片材と該各プッシュボタンの間に設置し、その表面には複数の加工区を設置し、該各プッシュボタンの光貫通が必要な区域に対応し、しかも該各加工区の間には複数の容置槽を設置し、該回路板上の光源体にそれぞれ対応し収容設置することができることを特徴とするキーボードのバックライト組合せ構造。
【請求項２】
前記導光板と該各プッシュボタンの間にはさらに半光透過性を備える遮光片を設置することを特徴とする請求項１記載のキーボードのバックライト組合せ構造。
【請求項３】
前記複数のプッシュボタンは平面キーボード上に設置し、しかも該平面キーボード表面において突出しないことを特徴とする請求項１記載のキーボードのバックライト組合せ構造。
【請求項４】
前記光源体は発光ダイオードであることを特徴とする請求項１記載のキーボードのバックライト組合せ構造。
【請求項５】
前記加工区はインク印刷、レーザー雕刻、モールドテクスチュア、ローラー、ピンプリック、カウンターサンク、ブラインドビア、エッチング及び貫通孔等の中から一つの加工方式を選択し、加工部位を成型することを特徴とする請求項１記載のキーボードのバックライト組合せ構造。
【請求項６】
前記平面キーボードの材質は金属片或いは薄膜の内の一つであることを特徴とする請求項１記載のキーボードのバックライト組合せ構造。
【請求項７】
前記貫通孔は該各プッシュボタンの大きさに応じて異なる貫通孔個数と貫通孔直径とすることを特徴とする請求項５記載のキーボードのバックライト組合せ構造。
【請求項８】
前記回路板外側にはさらに光源体を含むことを特徴とする請求項１記載のキーボードのバックライト組合せ構造。
【考案の詳細な説明】
【技術分野】
【０００１】
本考案は一種のキーボードのバックライト組合せ構造に関する。特に一種の組合せ後の厚みが薄く、しかも輝度が良好なキーボードのバックライト組合せ構造に係る。
【背景技術】
【０００２】
公知のキーボードのバックライト組合せ構造は図７に示すように、回路板１０表側に複数の弾片１１を設置し、しかも該各弾片１１の間に発光ダイオード１０２を設置する。光反射特性を備えた極薄光反射片３０は該回路板１の弾片１１を備えた側に蓋合し、しかも該光反射片３０上には複数の容置槽３１を設置し、該回路板１上の発光ダイオード１０２にそれぞれ対応し収容設置することができる。導光特性を備えた導光板４０は該光反射片３０上に蓋合し、該導光板４０上には該回路板１上にそれぞれ対応し収容設置することができる発光ダイオード１０２の容置槽４２を設置する。半透明のゴム層５は該導光板４０上に蓋合し、通過した光線を均一に拡散する。光線屈折反射作用を備える遮光片６は該ゴム層５上に設置し、こうして該発光ダイオード１０２上方或いはある部位に明る過ぎの状況が発生することを防止する。最後に、複数のプッシュボタン２を該遮光片６上に設置し、該回路板１の各弾片１１にそれぞれ対応する。
【０００３】
使用時には、該各プッシュボタン２が力を受けると、直接ゴム層５、導光板４０及び光反射片３０を通して該回路板１０の弾片１１を圧迫し、信号入力の制御を達成する。該発光ダイオード１０２の光線は一部は直接上方に向かい、またある一部は下に向かう光線で、また該光反射片３０を通して反射し上方に向かうこともできる。さらに該導光板４０により均一に拡散し、該ゴム層５を通ってさらに拡散し、しかも該遮光片６は適当に屈折反射させるため、一部位置（発光ダイオード１０２上方周縁部位など）に光線が集中し、明る過ぎの状況が発生することを防止可能で、こうして要求に符合するキーボードのバックライト効果を達成することができる。
【０００４】
しかし、この種の構造では基本バックライトの均一拡散の要求を満たすことはできるが、実際の応用においては、該ゴム層５はその他部品に比べ比較的厚い（ゴム層５の厚みは約２mmで、導光板４０の厚みは約０.１２５mm）ため、組合せ後の全体的厚みを減小させることができない。これは製品の小型化、コンパクト化設計には不利で、競爭力の向上は難しい。
【考案の開示】
【考案が解決しようとする課題】
【０００５】
上記公知キーボードのバックライト組合せ構造の欠点に鑑み、本考案人は研究を重ね、本考案キーボードのバックライト組合せ構造を提供するものである。
【課題を解決するための手段】
【０００６】
上記課題を解決するため、本考案は下記のキーボードのバックライト組合せ構造を提供する。
【０００７】
それは主にキーボードのバックライト組合せ構造を提供し、組み立て後の全体的厚みを効果的に減少させることができ、コンパクトな設計が容易となり、
またそれはキーボードのバックライト組合せ構造を提供し、その組成部品は少なく組み立て手順は簡易であるため、生産コストを効果的に低下させることができ、
すなわちそれは回路板の表側に複数の弾片を設置し、しかも該各弾片の間或いは回路板外側（図示なし）には光源体を設置し、複数のプッシュボタンは光透過性を備え、該回路板の弾片を備える側に設置し、しかも該各弾片位置にそれぞれ対応し、片材（光反射片、拡散片、銀網など）は光反射性或いは拡散性或いは接地性を備え、該回路板と該各プッシュボタンの間に設置し、該片材上には複数の容置槽を設置し、該回路板上の光源体にそれぞれ対応し収容設置することができ、導光板は導光性を備え、該片材と該各プッシュボタンの間に設置し、その表面には加工区を設置し、該各プッシュボタンの光貫通が必要な区域に対応し、しかも該各加工区の間には複数の容置槽を設置し、該回路板上の光源体にそれぞれ対応し収容設置することができるキーボードのバックライト組合せ構造を提供する。
【考案の効果】
【０００８】
上記のように、本考案キーボードのバックライト組合せ構造は製品組合せ後の厚みをの確実に減少させることができ、産業上の利用性、新規性及び進歩性を備える。
【考案を実施するための最良の形態】
【０００９】
本考案の第一実施形態の構造を示す分解図である図１、及び、断面図である図２に示すように、本考案は主に回路板１、プッシュボタン２、片材３（光反射片、拡散片、銀網など）及び導光板４等部分を含む。
【００１０】
該回路板１の表側には複数の弾片１１を設置し、しかも該各弾片１１の間或いは回路板外側（図示なし）には光源体１２（発光ダイオードなど）を設置する。
【００１１】
該複数のプッシュボタン２は光透過性を備えた材質により製造し、該回路板１の該弾片１１を備えた片側に設置し、しかも該回路板１の各弾片１１にそれぞれ対応する。
【００１２】
該片材３（光反射片、拡散片、銀網など）は光反射性或いは拡散性或いは接地性を備え、該回路板１と該各プッシュボタン２の間に設置する。該片材３上には複数の容置槽３１を設置し、該回路板１上の光源体１２にそれぞれ対応し収容設置する。
【００１３】
該導光板３は導光性を備えた材質により製造し、該片材３と該各プッシュボタン２の間に設置する。その表面には加工区４１を設置し、該各プッシュボタン２の光貫通が必要な区域に対応する。しかも該各加工区４１の間には複数の容置槽４２を設置し、該回路板１上の光源体１２にそれぞれ対応し収容設置する。
【００１４】
上記光源体１２は一般の発光ダイオード、または水平全周式発光ダイオード或いは側向式発光ダイオードで、それが発する光線の一部は直接上方に向かい、また別の一部の下に向かう光線は該片材３を経由し反射し上方に向かう。すべての光線は該導光板４を経て均一に拡散し、該各プッシュボタン２の間において均一のバックライト効果を形成する。該導光板４内の光線の一部は該加工区４１を経て上方に向かい導引される。このように、該各プッシュボタン２の光貫通が必要な区域において良好な輝度を形成し、最適の照明効果を達成する。
【００１５】
本考案の上記構造中において、該加工区４１の区域内においては実際の必要に応じて、インク印刷、レーザー雕刻、モールドテクスチュア、ローラー、ピンプリック、カウンターサンク、ブラインドビア、エッチング及び貫通孔等の内の一つの方式により加工部位を成型する。該加工部位はさらに導光効果を増進し、光線伝送効率を向上させることができる。また該各貫通孔は該各プッシュボタンの大きさに応じて異なる貫通孔個数と貫通孔直径を呈し、しかもその直径が３０mmから０.０９mmの間の場合に効果は最適となる。
【００１６】
本考案の第二実施形態の構造を示す分解図である図３及びその断面図である図４、並びに図２に示すように、本第二実施形態の構造は上記第一実施形態を基礎とする。両者の差異は該導光板４の各プッシュボタン２間において半光透過性を備える遮光片６０を増設する点である。該遮光片６０上には複数の貫通孔洞６１を設置し、該各プッシュボタン２位置にそれぞれ対応し、こうして全体バックライトの輝度を低下させ光線の柔和度を向上させる。
【００１７】
本考案の第三実施形態の構造を示す分解図である図５及びその断面図である図６、並びに図２に示すように、本第三実施形態の構造は第一実施形態を基礎とする。両者の差異は該各光透過性のプッシュボタン２０を平面キーボード２１上（その材質は金属片、薄膜など）に設置する点である。しかも該各プッシュボタン２０は該平面キーボード２１表面に突出せず、該平面キーボード２１を利用し光線を隔絶し、こうして光線は該各プッシュボタン２０より光貫通が必要な区域を透過し、別種の構造の応用形態を達成する。
【図面の簡単な説明】
【００１８】
【図１】本考案の第一実施形態の構造を示す分解図である。
【図２】本考案の第一実施形態の構造を示す断面図である。
【図３】本考案の第二実施形態の構造を示す分解図である。
【図４】本考案の第二実施形態の構造を示す断面図である。
【図５】本考案の第三実施形態の構造を示す分解図である。
【図６】本考案の第三実施形態の構造を示す断面図である。
【図７】公知のキーボードのバックライトの組合せ構造を示す図である。
【符号の説明】
【００１９】
１、１０…回路板
１１…弾片
１２…光源体
１０２…発光ダイオード
２、２０…プッシュボタン
２１…平面キーボード
３…片材
３１、４２…容置槽（収容設置用スロット）
４、４０…導光板
４１…加工区
５…ゴム層
６、６０…遮光片
６１…貫通孔洞
３０…光反射片
【図１】
0003133969.tif 000003
【図２】
0003133969.tif 000004
【図３】
0003133969.tif 000005
【図４】
0003133969.tif 000006
【図５】
0003133969.tif 000007
【図６】
0003133969.tif 000008
【図７】
0003133969.tif 000009
【手続補正書】
【提出日】平成19年5月31日(2007.5.31)
【手続補正１】
【補正対象書類名】実用新案登録請求の範囲
【補正対象項目名】全文
【補正方法】変更
【補正の内容】
【実用新案登録請求の範囲】
【請求項１】
主に少なくとも回路板、プッシュボタン、シート、導光板を含み、
該回路板は表側に複数の弾性片を設置し、しかも該各弾性片の間には光源体を設置し、
該複数のプッシュボタンは該回路板の弾性片を備える側に設置し、しかも該各弾性片位置にそれぞれ対応し、
該シートは該回路板と該各プッシュボタンの間に設置し、該シート上には複数の容置槽を設置し、該回路板上の光源体にそれぞれ対応し収容設置することができ、
該導光板は該シートと該各プッシュボタンの間に設置し、その表面には複数の加工区を設置し、該各プッシュボタンの光貫通が必要な区域に対応し、しかも該各加工区の間には複数の容置槽を設置し、該回路板上の光源体にそれぞれ対応し収容設置することができることを特徴とするキーボードのバックライト組合せ構造。
【請求項２】
前記導光板と該各プッシュボタンの間にはさらに半光透過性を備える遮光片を設置することを特徴とする請求項１記載のキーボードのバックライト組合せ構造。
【請求項３】
前記複数のプッシュボタンは平面キーボード上に設置し、しかも該平面キーボード表面において突出しないことを特徴とする請求項１記載のキーボードのバックライト組合せ構造。
【請求項４】
前記光源体は発光ダイオードであることを特徴とする請求項１記載のキーボードのバックライト組合せ構造。
【請求項５】
前記加工区はインク印刷、レーザー雕刻、モールドテクスチュア、ローラー、ピンプリック、カウンターサンク、ブラインドビア、エッチング及び貫通孔等の中から一つの加工方式を選択し、加工部位を成型することを特徴とする請求項１記載のキーボードのバックライト組合せ構造。
【請求項６】
前記平面キーボードの材質は金属片或いは薄膜の内の一つであることを特徴とする請求項１記載のキーボードのバックライト組合せ構造。
【請求項７】
前記貫通孔は該各プッシュボタンの大きさに応じて異なる貫通孔個数と貫通孔直径とすることを特徴とする請求項５記載のキーボードのバックライト組合せ構造。
【請求項８】
前記回路板外側にはさらに光源体を含むことを特徴とする請求項１記載のキーボードのバックライト組合せ構造。
【手続補正２】
【補正対象書類名】明細書
【補正対象項目名】０００２
【補正方法】変更
【補正の内容】
【０００２】
公知のキーボードのバックライト組合せ構造は図７に示すように、回路板１０表側に複数の弾性片１１を設置し、しかも該各弾性片１１の間に発光ダイオード１０２を設置する。光反射特性を備えた極薄光反射片３０は該回路板１の弾性片１１を備えた側に蓋合し、しかも該光反射片３０上には複数の容置槽３１を設置し、該回路板１上の発光ダイオード１０２にそれぞれ対応し収容設置することができる。導光特性を備えた導光板４０は該光反射片３０上に蓋合し、該導光板４０上には該回路板１上にそれぞれ対応し収容設置することができる発光ダイオード１０２の容置槽４２を設置する。半透明のゴム層５は該導光板４０上に蓋合し、通過した光線を均一に拡散する。光線屈折反射作用を備える遮光片６は該ゴム層５上に設置し、こうして該発光ダイオード１０２上方或いはある部位に明る過ぎの状況が発生することを防止する。最後に、複数のプッシュボタン２を該遮光片６上に設置し、該回路板１の各弾性片１１にそれぞれ対応する。
【手続補正３】
【補正対象書類名】明細書
【補正対象項目名】０００３
【補正方法】変更
【補正の内容】
【０００３】
使用時には、該各プッシュボタン２が力を受けると、直接ゴム層５、導光板４０及び光反射片３０を通して該回路板１０の弾性片１１を圧迫し、信号入力の制御を達成する。該発光ダイオード１０２の光線は一部は直接上方に向かい、またある一部は下に向かう光線で、また該光反射片３０を通して反射し上方に向かうこともできる。さらに該導光板４０により均一に拡散し、該ゴム層５を通ってさらに拡散し、しかも該遮光片６は適当に屈折反射させるため、一部位置（発光ダイオード１０２上方周縁部位など）に光線が集中し、明る過ぎの状況が発生することを防止可能で、こうして要求に符合するキーボードのバックライト効果を達成することができる。
【手続補正４】
【補正対象書類名】明細書
【補正対象項目名】０００７
【補正方法】変更
【補正の内容】
【０００７】
それは主にキーボードのバックライト組合せ構造を提供し、組み立て後の全体的厚みを効果的に減少させることができ、コンパクトな設計が容易となり、
またそれはキーボードのバックライト組合せ構造を提供し、その組成部品は少なく組み立て手順は簡易であるため、生産コストを効果的に低下させることができ、
すなわちそれは回路板の表側に複数の弾性片を設置し、しかも該各弾性片の間或いは回路板外側（図示なし）には光源体を設置し、複数のプッシュボタンは光透過性を備え、該回路板の弾性片を備える側に設置し、しかも該各弾性片位置にそれぞれ対応し、シート（光反射片、拡散片、銀網など）は光反射性或いは拡散性或いは接地性を備え、該回路板と該各プッシュボタンの間に設置し、該シート上には複数の容置槽を設置し、該回路板上の光源体にそれぞれ対応し収容設置することができ、導光板は導光性を備え、該シートと該各プッシュボタンの間に設置し、その表面には加工区を設置し、該各プッシュボタンの光貫通が必要な区域に対応し、しかも該各加工区の間には複数の容置槽を設置し、該回路板上の光源体にそれぞれ対応し収容設置することができるキーボードのバックライト組合せ構造を提供する。
【手続補正５】
【補正対象書類名】明細書
【補正対象項目名】０００９
【補正方法】変更
【補正の内容】
【０００９】
本考案の第一実施形態の構造を示す分解図である図１、及び、断面図である図２に示すように、本考案は主に回路板１、プッシュボタン２、シート３（光反射片、拡散片、銀網など）及び導光板４等部分を含む。
【手続補正６】
【補正対象書類名】明細書
【補正対象項目名】００１０
【補正方法】変更
【補正の内容】
【００１０】
該回路板１の表側には複数の弾性片１１を設置し、しかも該各弾性片１１の間或いは回路板外側（図示なし）には光源体１２（発光ダイオードなど）を設置する。
【手続補正７】
【補正対象書類名】明細書
【補正対象項目名】００１１
【補正方法】変更
【補正の内容】
【００１１】
該複数のプッシュボタン２は光透過性を備えた材質により製造し、該回路板１の該弾性片１１を備えた片側に設置し、しかも該回路板１の各弾性片１１にそれぞれ対応する。
【手続補正８】
【補正対象書類名】明細書
【補正対象項目名】００１２
【補正方法】変更
【補正の内容】
【００１２】
該シート３（光反射片、拡散片、銀網など）は光反射性或いは拡散性或いは接地性を備え、該回路板１と該各プッシュボタン２の間に設置する。該シート３上には複数の容置槽３１を設置し、該回路板１上の光源体１２にそれぞれ対応し収容設置する。
【手続補正９】
【補正対象書類名】明細書
【補正対象項目名】００１３
【補正方法】変更
【補正の内容】
【００１３】
該導光板３は導光性を備えた材質により製造し、該シート３と該各プッシュボタン２の間に設置する。その表面には加工区４１を設置し、該各プッシュボタン２の光貫通が必要な区域に対応する。しかも該各加工区４１の間には複数の容置槽４２を設置し、該回路板１上の光源体１２にそれぞれ対応し収容設置する。
【手続補正１０】
【補正対象書類名】明細書
【補正対象項目名】００１４
【補正方法】変更
【補正の内容】
【００１４】
上記光源体１２は一般の発光ダイオード、または水平全周式発光ダイオード或いは側向式発光ダイオードで、それが発する光線の一部は直接上方に向かい、また別の一部の下に向かう光線は該シート３を経由し反射し上方に向かう。すべての光線は該導光板４を経て均一に拡散し、該各プッシュボタン２の間において均一のバックライト効果を形成する。該導光板４内の光線の一部は該加工区４１を経て上方に向かい導引される。このように、該各プッシュボタン２の光貫通が必要な区域において良好な輝度を形成し、最適の照明効果を達成する。
【手続補正１１】
【補正対象書類名】明細書
【補正対象項目名】００１９
【補正方法】変更
【補正の内容】
【００１９】
１、１０…回路板
１１…弾性片
１２…光源体
１０２…発光ダイオード
２、２０…プッシュボタン
２１…平面キーボード
３…シート
３１、４２…容置槽（収容設置用スロット）
４、４０…導光板
４１…加工区
５…ゴム層
６、６０…遮光片
６１…貫通孔洞
３０…光反射片